(57)【要約】      （修正有）【課題】屋外や屋内体育館用のポータブル型の容器に水素ガスを効率良く、且つ支障なく溶存させ、健康のための飲料用電解水素水をその容器内に生成する装置を提供する。【解決手段】電解前に原水を貯留して電解後に該原水に水素ガスを生成溶存する水素水生成部Ｃと、水素水を貯留する胴体部Ｂと、水素水を封じるキャップ部Ａと、からなる。該水素水生成部Ｃは、その内部に電極部ユニット８を配設し、その構成を高分子膜１８と該高分子膜１８の上下を有孔の金属板である電極板４、５で挟むものとする。該電極部ユニット８の上部に配する該電極板４は陰極電極用リード線を介して制御基板１２に連結し、該電極部ユニット８の下部電極板５は電極板陽極電極用スプリングを介して該制御基板１２に接続してなる。【選択図】図３
0003175997.tif 000002
【実用新案登録請求の範囲】
【請求項１】
原水を水素水に変換する水素水生成部と、該水素水を貯留する胴体部と、該水素水を封じるキャップ部とからなり、
該水素水生成部は、
ａ）縦長とした胴体部の底部に配設し、
ｂ）該底部に比較的容積の小さな反応室を形成し、
ｃ）該反応室には上記胴体部に臨んでほぼ水平状態に維持した高分子膜を配すると共に、該高分子膜の上下を有孔の金属板または金属網体で形成した電極板で挟み、その上下電極板のうち上部陰極電極板には陰極電極用リード線を接続し、下部陽極電極板には電導性を備えたスプリングを配設し、
ｄ）該陰極電極用リード線には制御基板を接続すると共に、該スプリングには電池を接続して、上記水素水生成部の電源回路を形成して、
なることを特徴とするポータブル型飲料用水素水の生成器。
【請求項２】
電池が、乾電池または２次電池である請求項１記載のポータブル型飲料用水素水の生成器。
【請求項３】
反応室に、生じたオゾンガスを一時貯留させるためのオゾンガス待機室を形成してなる請求項１または２記載のポータブル型飲料用水素水の生成器。
【請求項４】
キャップ部に、安全弁を配設してなる請求項１〜３のうちいずれか１項記載のポータブル型飲料用水素水の生成器。
【考案の詳細な説明】
【技術分野】
【０００１】
本考案は、飲料用電解水素水を生成するポータブル型生成器に関し、更に詳細には、容器全体を持ち歩いて電源設備のない主に屋外での水素水生成を可能とし、ポータブル型飲料用容器に水素を溶存させて飲料用水とし、激しい運動をした後の体内環境を整えるためにその場で飲用することのできるポータブル型生成器に関する。
【背景技術】
【０００２】
人が肺から生体内に取り込んだ酸素は、活性酸素として人の生命を維持するために無くてはならないものである。しかし、この有用な活性酸素にあっても生体内に過剰に存在すると、生体内の細胞は酸化して損傷を受け、癌や生活習慣病など現代病の一因になることが分かってきた。そこで、生体内の過剰な活性酸素を中和して水にし、体外に排出する作用を行う水素の存在が重要視されている。つまり、人は水素水を飲用し、溶存する水素ガスを生体内に導き、生体内の抗酸化酵素と共に、過剰で余分になった活性酸素に還元反応を起こさせ、中性の水を生成して、活性酸素を分解除去する作用を行わせることにある。
【０００３】
ところで、上記飲料用の水素水に関し、従来の高分子膜に向けて原水を流入供給しながら電解水素水を生成する装置の提案がある。すなわち、原水が導入される電解室と、該電解室内と該電解室外を区画する隔膜と、この隔膜を挟設する電極板対を有し、該電解室外の電極板が隔膜に接触または僅かな隙間を設けてなる電解装置としている。この装置の導入口から導入された原水は該隔膜にて電解され、導出口から飲料水として電解水素水を取出す提案である（特許文献１）。
【０００４】
一方、電解水生成装置の二つ目に、電解酸性水生成装置として、その電解槽内に設置するイオン交換膜とその膜に密着する電極によって電解槽を陰極室と陽極室に区画し、該陰極室側と該陽極室側それぞれに設けた原料水の供給ノズルより供給しながら電解する装置としている。該陰極室と該陽極室にてそれぞれ電解水素水とオゾンを含む電解酸性水が生成され、各室に設けた取出ノズルより該電解槽外部に取出す提案である（特許文献２）。
【０００５】
更に、陽極電極と陰極電極との間に陽イオン交換膜が狭持されてなる触媒電極に水を供給すると共に、該陽極電極と該陰極電極との間に直流電圧を印加することによってオゾン水を生成するオゾン水生成装置がある。該陽極電極と該陰極電極に水を供給する原料水供給路を設け、互いに連通する連通穴を両電極に設けて、該陽極電極でオゾン水を生成した後に、該連通穴を介して原水を該陰極電極に供給して陰極水を生成する提案である（特許文献３）。
【０００６】
上記技術は、いずれも主に業務用の比較的大型の装置を対象としたものであり、家庭用に向けたものではなく、家庭で簡単に水素水を生成でき、日常の生活の中で頻繁且つ気軽に利用できるものとして、本考案者より特許を提案している（特許文献４）。
【０００７】
しかし、この技術は日常の家庭生活の中で利用できる家庭設置型であり、電源設備のない屋外や電源設備があっても容易に使用不可能な公共屋内体育館用等に向けたものではなく、屋外等で簡単に水素水が生成でき、屋外等で頻繁且つ気軽に利用できる屋外移動型ではない。
【先行技術文献】
【特許文献】
【０００８】
【特許文献１】特許第３３４９７１０号
【特許文献２】特開平７−２１４０６３号
【特許文献３】特開２００８−２７９３４１号
【特許文献４】特願２０１１−０８２４６３号
【考案の概要】
【考案が解決しようとする課題】
【０００９】
本考案は前記実情に鑑みてなされたもので、屋外や屋内体育館用のポータブル型の容器に水素ガスを効率良く、且つ支障なく溶存させ、健康のための飲料用電解水素水をその容器内に生成する装置を提供しようとするものである。
【課題を解決するための手段】
【００１０】
前記目的を達成するために、請求項１記載のポータブル型飲料用水素水の生成器は、原水を水素水に変換する水素水生成部と、該水素水を貯留する胴体部と、該水素水を封じるキャップ部とからなり、該水素水生成部は、ａ）縦長とした胴体部の底部に配設し、ｂ）該底部に比較的容積の小さな反応室を形成し、ｃ）該反応室には上記胴体部に臨んでほぼ水平状態に維持した高分子膜を配すると共に、該高分子膜の上下を有孔の金属板または金属網体で形成した電極板で挟み、その上下電極板のうち上部陰極電極板には陰極電極用リード線を連結し、下部陽極電極板には電導性を備えたスプリングを配設し、ｄ）該陰極電極用リード線には制御基板を連結すると共に、該スプリングには電池を接続して、上記水素水生成部の電源回路を形成して、なることを特徴とする。
【００１１】
請求項２記載のポータブル型飲料用水素水の生成器は、電池が乾電池、２次電池であることを特徴とする。
【００１２】
請求項３記載のポータブル型飲料用水素水の生成器は、反応室に生じたオゾンガスを一時貯留させるためのオゾンガス待機室を形成してなることを特徴とする。
【００１３】
請求項４記載のポータブル型飲料用水素水の生成器は、キャップ部に安全弁を配設してなることを特徴とする。
【考案の効果】
【００１４】
本考案のポータブル型飲料用水素水の生成器は、生成水用胴体部を成しているので、原水を貯留し、生成する水素ガスを電解水素水として原水に溶存することができる。すなわち、生成水用胴体部を縦長とし、その胴体部の底部に反応室を配しているので、生成する水素ガスが底部から原水面までの最大距離を浮き上がるに従って溶解し、その溶解する時間を保持でき、溶存が最大となる。
更に、高分子膜は胴体部に臨んで、ほぼ水平状態に配しているので、該反応室を薄小化することができ、且つ該胴体部もそれに合わせて適度な縦長にすることができる。
該高分子膜は有孔の金属板または金属網体からなる電極板で挟まれ、且つ、スプリングの線形弾性により該電極板を柔軟に挟着されているので、水の揺動があっても該高分子膜と該電極板との間の高分子膜が破れることはない。
更に、電源を電池としたので携帯に便利であり、屋外、体育館内などのいずれの場所であっても、所定の位置に配備されているコンセントからの電源を必要とせず、該生成器に外装する電源スイッチを入れるとすぐに通電を開始して水素水を生成することができる。
【００１５】
請求項２の構成とすれば、電池が乾電池または２次電池であるので、乾電池の場合は該生成器に内蔵する乾電池ホルダーケースに装填して水素水生成時の電源とし、２次電池の場合は該生成器に内蔵するＡＣ-ＤＣアダプター接続コネクターにより前もって充電しておいて水素水生成時の電源とすることができる。
【００１６】
請求項３の構成とすれば、上記反応室にてオゾンガスが生成されるが、一時的に溜まる構造にしたオゾンガス待機室を設けているので、気泡容積と気泡圧力の大きいオゾンガス溜を形成し、該オゾンガス溜は連通口から一気に抜け出るので、原水面までの最大距離を浮き上がっても、その途中で原水に溶解することなく、空気中に飛散させることができる。
【００１７】
請求項４の構成とすれば、水素ガスが容器内に溜まった場合、水素ガス圧が上昇して危険となるが、安全弁を施すことにより、水素ガス圧が一定圧以上になったら水素ガスを逃がすことができる。
【図面の簡単な説明】
【００１８】
【図１】本考案ポータブル型飲料用水素水生成器の全体斜視図である。
【図２】本考案を各部に分解した状態の斜視図である。
【図３】本考案の縦断断面図である。
【図４】本考案水素水生成部の（Ａ）平面図、（Ｂ）底面図である。
【図５】本考案水素水生成部の拡大断面図である。
【図６】本考案網体状電極板の斜視図である。
【図７】本考案の水素ガスの生成経路（ｘ）と、オゾンガスの排出経路（ｙ）を示す拡大断面図である。
【考案を実施するための形態】
【００１９】
本考案の実施の形態を図１〜図７に基づき説明する。
【００２０】
本考案のポータブル型飲料用水素水生成器１は、図１に示す如く、バッグなどに入れて、あるいは手提げ用金具を取り付けて肩に掛けるなど、手軽に持ち運びが可能な大きさとし、一般的には直径６０ミリメートル、高さ２００ミリメートル程度とするのが好ましく、コンパクト化されて、携帯に適した大きさにしている。
【００２１】
図２は、図１で示した本考案のポータブル型飲料用水素水生成器１の全体斜視図のうち、（Ａ）はキャップ部を示し、（Ｂ）は胴体部、（Ｃ）は水素水生成部を示している。この各部は互いにネジ状で嵌合され、水漏れのない構造としている。
ポータブル型飲料用水素水生成器１に原水を供給するときは、胴体部（Ｂ）と水素水生成部（Ｃ）に付設のネジ状を回しながら嵌合し、水容器として水道蛇口に向かう。そして、電解完了後においては、キャップ部（Ａ）を付設のネジ状を回しながら胴体部（Ｂ）から外し、水容器として水素水をコップなどに注いで飲むものとする。
【００２２】
図３は、図１で示した本考案のポータブル型飲料用水素水生成器１の全体断面図を示す。
キャップ部（Ａ）は着脱可能で、水素ガスを発生させて水素水を生成する時には、生成する該水素ガスを外気に飛散させるために原則的に胴体部（Ｂ）より外す。水素水が生成された容器全体を持ち歩き、あるいは移動させる場合はキャップ部（Ａ）は胴体部（Ｂ）に被せ、水素水がこぼれないように固着する。このとき、水素ガスが溜まり、水素ガス圧が上昇して危険となることを考慮してスプリング等を施した安全弁２を配設してある。
次いで、胴体部（Ｂ）は、上下端部がオープン形状になって、いわゆる筒状であり、胴体部（Ｂ）に原水を投入する場合は底部の水素水生成部（Ｃ）と前もって組み立てておく。また、該胴体部（Ｂ）は透明なアクリル樹脂として水素ガスの上昇が外から見える構造とするのが望ましい。更に、該胴体部（Ｂ）に原水を投入するときの原水量は、水位上限線３までとする。該水位上限線３を超えて原水量を投入すると原水が該安全弁２に掛かるので、水素ガスの排出ができず危険なためである。
そして、水素水生成部（Ｃ）は、本考案のポータブル型生成器１の底部で、胴体部（Ｂ）を伺う位置にある網体状電極板４、５と該網体状電極板４、５で挟着される高分子膜１８と該網体状電極板４、５の直下に存する反応室６と該反応室６を確保するための下がり壁に付設の連通口７とからなる電極部ユニット８と、該網体状電極板４、５を稼働させ原水の電解を惹起させるために電極端子９、１０を介して接続する電池１１と制御基板１２と、からなる。該電池１１は、乾電池、２次電池の何れでも使用でき、乾電池は乾電池ホルダーケースに装填して水素水生成時の電源とし、２次電池は生成器１に内蔵するＡＣ-ＤＣアダプター接続コネクター１４により充電して水素水生成時の電源とする。
【００２３】
更に図４（Ａ）に、水素水生成部（Ｃ）の上記電極部ユニット８と、水検知センサー１３を、図４（Ｂ）に、上記電池１１と、上記制御基板１２と、ＡＣ-ＤＣアダプター接続コネクター１４の配設状況を平面図で示す。
該図４（Ａ）に示す該電極部ユニット８は本考案のポータブル型生成器１の底部に位置するので、原水の電解を行うときには該電極部ユニット８が原水で覆われる必要があり、原水の必要最少量を電気的に表示する水検知センサー１３を設ける。この水検知センサー１３の取付位置は、上記図３（Ｃ）および下記図５に示すように、その水平位置が該電極部ユニット８の水平位置に同じか、いくらか高い位置とする。該水検知センサー１３は、水素水生成部（Ｃ）の外装に配設する電源スイッチ１５の上方に配備する電源確認ＬＥＤ灯１６に接続され、電解開始時に電源スイッチ１５をＯＮしたときに、原水量が必要最少量に達していることを表示する。
該図４（Ｂ）に示す電池１１は、乾電池を用いる場合には、乾電池ホルダーケースに装填して使用し、２次電池を用いる場合には、予め、ＡＣ-ＤＣアダプター接続コネクター１４から電力を供給し、制御基板１２にある充電制御回路を経由して該電池１１に接続することにより充電して使用し、充電完了時には該接続コネクター１４は電気的に遮断される。次に、水素水を生成するときには該電源スイッチ１５をＯＮにすることにより、該乾電池、２次電池のいずれも電源として直流電流を該電極部ユニット８に向かって下部より通電する。すなわち、該電池１１からの電力は、制御基板１２にある電力供給制御回路から電極端子９を経由して該電極部ユニット８に供給され、電極端子１０を経て該制御基板１２に戻る回路を成すことにより上記網体状電極板４、５の電極面にて電解が行われる。
同じく該図４（Ｂ）に示す該制御基板１２は、該電源スイッチ１５をＯＮにした後、一定時間たとえば１０分後にはタイマー機能が働いてブザーが鳴り、電源がＯＦＦとなるように設定する。また、電池残量が一定値以下となったら、電源スイッチ１５をＯＮにしても電源確認ＬＥＤ灯１６が点灯しないよう電池残量管理機能を設ける。更に、上記に示すとおり、上記水検知センサー１３が原水の水位が低すぎて原水を検知しないときも電源確認ＬＥＤ灯１６が点灯せずに、原水の電解が行われない機能とする。
【００２４】
以下に、ポータブル型飲料用水素水生成器１の全体断面図を示す上記図３、そのうちの水素水生成部の拡大断面図を示す図５および網体状電極板を示す図６を用いて各部を更に詳細に説明すると共に、水素水生成機構について説明する。
【００２５】
最初に、電極部ユニット８について、図３（Ｂ）、図５および図６で説明する。
電極部ユニット８は、胴体部（Ｂ）の直下に位置し、樹脂製電極ケース１７で囲んで網体状電極板４、５およびこの電極に挟着する高分子膜１８を保護する構造とする。上部網体状陰極電極板４は胴体部（Ｂ）を上に臨み、下部網体状陽極電極板５は反応室６に面して原水の電解が行われる。すなわち該樹脂製電極ケース１７の上面の上部網体状陰極電極板４は水素ガスの流出口として開口し、該樹脂製電極ケース１７の下面の下部網体状陽極電極板５はオゾンガスの排出面として開口している。更に、該樹脂製電極ケース１７の外周下方付近には連通口７を設け、生成されるオゾンガスの排出口とする。
【００２６】
次に、上記反応室６、高分子膜１８および電極板４、５について説明する。
反応室６は、上記に示すとおり、電解作用を成す高分子膜１８を境にして下部網体状陽極電極板５の電極面下に配設すると共に、投入された原水の電解により水素イオンを発生するに充分な容積を備えた室体とする。
この反応室６に面する下部網体状陽極電極板５の電極面にて電解生成された水素イオンと電子のうち水素イオンは、陽イオン交換膜である高分子膜１８に誘導され、上部網体状陰極電極板４に達して、該電極板４の電極面にて水素イオンの電気的結合を行い、水素ガスとして生成される。この水素ガスは、上記胴体部（Ｂ）にある原水中を上昇しながら溶解溶存して水素水となる。一方の電子は上記制御回路１２に回帰する。
また、この反応室６は生成されたオゾンガスが一時的に貯留する場でもある。ここに集まったオゾンガスは次第に大きい気泡容積と気泡圧力を保持するようになり、大きなオゾンガス溜となって連通口７より胴体部（Ｂ）に排出され、該胴体部（Ｂ）の原水面より外気に排気される。
該高分子膜１８はデュポン社製ナフィオン１１５あるいはナフィオン１１７とすることができる。該高分子膜１８に密着する該電極板４、５は、上部網体状陰極電極板４と下部網体状陽極電極板５とからなる金属板または金属網体で、その材質はチタン基材に白金メッキを施している。その形状は図６に示す。
【００２７】
次いで、上記下部網体状陽極電極板５は、その下面を陽極電極用スプリング２０によって支持され、該陽極電極用スプリング２０のもう片方の端部は陽極電極用スプリング-電池連結用端子９を介して制御基板１２にある電力供給制御回路と接続し、該制御基板１２は該電池１１から電力の供給を受ける。該スプリング２０は、上記高分子膜１８と該電極板５を下面から挟着させ、且つ該高分子膜１８に通電できる電導性を有し、線形弾性を保有する。
一方、上記上部網体状陰極電極板４は、陰極電極用リード線１９および陰極電極-制御基板連結用端子１０を介して該制御基板１２と接続し、直流電流を回帰させる。上記樹脂製電極ケース１７の端部は該高分子膜１８と該電極板４を上面から押着する。
【００２８】
上記構成に基づく本考案の電解水素水生成器１の作用および効果を説明する。
水道水等の原水を、縦長にした胴体部（Ｂ）と水素水生成部（Ｃ）をネジ状で嵌合した水溶器に供給後、該水素水生成部（Ｃ）の外装にある電源スイッチ１５をＯＮにする。
該水容器にあって、その胴体部（Ｂ）を縦長とし、且つ該胴体部（Ｂ）の底部に該反応室６を配しているので、前述した反応室６で生成した水素イオンは高分子膜１８を通過して水素ガス化し、この水素ガスが胴体部（Ｂ）の底部から原水面まで浮き上がるときに、縦方向の最大距離を移動することとなり、溶解する時間を保持でき、水素水として原水に効率良く溶存させることができる。
更に、本考案の生成器は電源を電池としたので、バッグなどに入れて、あるいは手提げ用金具を取り付けて肩に掛けるなど携帯に適した大きさとなり、携帯に便利となる。屋外、体育館内などのいずれの場所であっても、コンセントからの電源等を必要とせず、該生成器に外装する電源スイッチを入れるとすぐに通電を開始して手軽に水素水を生成することができる。
【００２９】
次に、電極部ユニット８の上部網体状陰極電極板４と下部網体状陽極電極板５における電解作用を説明する。
上述の如く、上記胴体部（Ｂ）および連通口７を経て、水道水は電極部ユニット８内の反応室６に流入し、これを満たすと、胴体部（Ｂ）の水面の下降がなくなる。この時点で、電源スイッチ１５をＯＮにする。
電源スイッチ１５ＯＮにより、該電極部ユニット８の上部網体状陰極電極板４と下部網体状陽極電極板５とにそれぞれが印加されると、次第に、下部網体状陽極電極板５面において原水の電解が起こり、化１および化２の化学反応式が惹起される。
【化１】
0003175997.tif 000003
【化２】
0003175997.tif 000004
上記の該化１にて生成した水素イオンと電子は高分子膜１８を通過して上部網体状陰極電極板４側に移行し、その電極面において化２の化学反応式に従って水素ガスが生成され、原水に溶解して電解水素水を生成する。
一方、該化１にて生成したオゾンガスは、該下部網体状陽極電極板５に面する反応室６内において一時待機し、その待機室中でオゾンガスの小さな気泡同士が吸引し、気泡容積と気泡圧力の大きいオゾンガス溜を形成する。大きいオゾンガス溜はやがて該反応室６から連通口７、胴体部（Ｂ）を順に経由して原水面より大きな気泡として一気に外気に排気されるので、原水には溶け込まない。
【００３０】
次いで、電極部ユニット８の電極板４、５面および反応室６における作用について説明すると共に、発生する水素ガスおよびオゾンガスの生成経路および排出経路を説明する。
図７中の電極部ユニット８の上面である上部網体状陰極電極板４から上記化２の化学反応式に従って水素ガスが生成され、実線矢印ｘで表示する生成経路にて上昇しつつ原水に溶解し、次第に電解水素水を生成する。このとき生成する水素ガス気泡の容積は小さく、生成順に上昇するので、順次原水に溶解して溶存する。上述したとおり、縦長の胴体部（Ｂ）が水素水として原水に効率良く水素ガスを溶解溶存させるのは、水素ガスの移動距離が胴体部（Ｂ）の底部から原水面までの縦方向の最大距離となり、溶解する時間を保持できるからである。
同時に、該電極部ユニット８の下面である反応室６に面する下部網体状陽極電極板５にては上記化１の化学反応式に従ってオゾンガスと水素イオンと電子が生成され、その水素イオンのみが該下部網体状陽極電極板５に面密着している陽イオン交換膜である上記高分子膜１８を経由して該上部網体状陰極電極板４に移動し、先に示したように、該電極板４の面上にて上記化２の化学反応式に従って水素ガスが生成されることとなる。
一方、図７中の反応室６から胴体部（Ｂ）に向けて白抜き線矢印ｙで表示するように、該反応室６にて上記化１の化学反応式に従ってオゾンガスが生成され、該反応室６を形成する下がり壁の配設によりオゾンガスの貯留時間を長くしてオゾンガス溜を形成する。オゾンガス溜が該反応室６の容積を超えると、白抜き線矢印ｙに従って連通口７を経て胴体部（Ｂ）に向かって一気に流出する。
該胴体部（Ｂ）中の上昇流速が大きいので、原水面までの移動距離が水素ガスと同じであっても、胴体部（Ｂ）の水に溶解することなく素早く上昇し、原水面より大気中に排気される。
【００３１】
また、高分子膜１８は、胴体部（Ｂ）に臨んでほぼ水平状態に配しているので、反応室６を横長の扁平状とすることができ、該高分子膜１８を縦長とした場合に比して、ポータブル型飲料用水素水生成器１全体の背高を低くすることができ、屋外や屋内体育館などの卓上や床などに置いた場合にポータブル型飲料用水素水生成器１が倒れる等の危険を回避することができる。
一方、該高分子膜１８を水平としたことで、有孔の金属板または金属網体からなる電極板で上下に挟着が可能となり、その上部電極板４はその上から樹脂製電極ケース１７の端部で押着状態に接合され、一方の下部電極板５はスプリング２０の線形弾性により柔軟に押着状態に接合されているので、水の揺動があっても該高分子膜１８と該電極４、５との間の接触が断たれることはない。
【００３２】
電極部ユニット８は、水素水生成部（Ｃ）の仕切板２１上に固定されるので、水の揺動があっても陰極電極用リード線１９および陰極電極-制御基板連結用端子１０を介して制御基板１２と連結し、電子回路の接触が断たれることはない。また陽極電極用スプリング２０および陽極電極用スプリング-電池連結用端子９を介して制御基板１２と接続し、電子回路の接触が断たれることはない。
【００３３】
キャップ部に安全弁を配設しているので、水素ガス圧が一定圧以上になったら水素ガスを逃がして安全を確保できる。
【００３４】
このポータブル型飲料用水素水生成器は屋外移動型であるので、屋内体育館等で簡単に水素水が生成でき、頻繁且つ気軽に利用できる。
【産業上の利用可能性】
【００３５】
本考案は、健康用電解水素水の生成器を成し、生成された電解水素水を飲むことで健康の維持に努めることができると共に、屋外や屋内体育館などで使用できるポータブル型生成器として具現されるので、電源設備のないところでも日常的に気軽に用いることができる。
【符号の説明】
【００３６】
Ａ      ポータブル型飲料用水素水生成器のキャップ部
Ｂ      ポータブル型飲料用水素水生成器の胴体部
Ｃ      ポータブル型飲料用水素水生成器の水素水生成部
１      ポータブル型飲料用水素水生成器
２      安全弁
３      水位上限線
４      上部網体状陰極電極板
５      下部網体状陽極電極板
６      反応室
７      連通口
８      電極部ユニット
９      陽極電極用スプリング-制御基板連結用端子
１０      陰極電極-制御基板連結用端子
１１      電池
１２      制御基板
１３      水検知センサー
１４      ＡＣ-ＤＣアダプター接続コネクター
１５      電源スイッチ
１６      電源確認ＬＥＤ灯
１７      樹脂製電極ケース
１８      高分子膜
１９      陰極電極用リード線
２０      陽極電極用スプリング
２１      仕切板
【図１】
0003175997.tif 000005
【図２】
0003175997.tif 000006
【図３】
0003175997.tif 000007
【図４】
0003175997.tif 000008
【図５】
0003175997.tif 000009
【図６】
0003175997.tif 000010
【図７】
0003175997.tif 000011